(57)【特許請求の範囲】
【請求項１】
ハンドルの根元部に連結される連結部と、前記連結部から延出させた挿着軸体とからなり、前記挿着軸体を払拭体の袋部に挿着して収設した清掃具であって、前記ハンドルを回動自在に保持する回動軸部を前記連結部に設け、前記挿着軸体を前記袋部内で前記連結部に対して前記延出方向の軸回りに自転可能に枢支し、前記挿着軸体は、前記連結部の前記延出方向の両端側に連結された一対の回転軸体と、夫々の前記回転軸体に外嵌された一対の中空体とからなり、夫々の前記中空体を独立して自転可能に各回転軸体に枢支し、各回転軸体を前記連結部に対して左右対称状に配置して前記一対の回転軸体を前記ハンドルに対してＴ字形又は略Ｔ字形に設けたことを特徴とする清掃具。
【請求項２】
前記袋部内部に当接する突部を前記挿着軸体の外側面に形成した請求項１に記載の清掃具。
【請求項３】
夫々の前記回転軸体の一端を前記連結部に連結した請求項１又は２に記載の清掃具。
【請求項４】
夫々の前記回転軸体が折曲自在に前記連結部に連結され、前記払拭体の前記袋部に挿着するときに前記一対の回転軸体を前記Ｔ字形又は略Ｔ字形に固定して剛性保持する保持機構と、前記袋部が脱離する方向に各回転軸体を折曲させて前記保持状態を解除する解除機構とを備えた請求項３に記載の清掃具。
【請求項５】
前記挿着軸体は、前記連結部に一端が連結された軸心体と、前記軸心体に外嵌されて枢支された筒体とからなり、前記軸心体を前記ハンドルに対してＬ字形又は略Ｌ字形に設けた請求項１又は２に記載の清掃具。
【請求項６】
前記軸心体の前記一端を前記連結部に連結した請求項５に記載の清掃具。
【請求項７】
前記軸心体を折曲自在に前記連結部に連結され、前記払拭体の前記袋部に挿着するときに前記軸心体を前記Ｌ字形又は略Ｌ字形に固定して剛性保持する保持機構と、前記袋部が脱離する方向に前記軸心体を折曲させて前記保持状態を解除する解除機構とを備えた請求項６に記載の清掃具。
【請求項８】
前記袋部の全周囲に払拭材を多数設けた請求項１〜７のいずれかに記載の清掃具。
【請求項９】
前記払拭材がパイルからなる請求項８に記載の清掃具。
【発明の詳細な説明】
【技術分野】
【０００１】
本発明は、床面や壁面を清掃するための払拭体の袋部に払拭体挿入部を挿脱自在にした清掃具に関し、特には、払拭体挿入部を回動自在にした払拭体挿入部回動式掃除具に関する。
【背景技術】
【０００２】
従来から、この種の清掃具としてハンディタイプや箒状の長柄ハンドル型のものが広く利用されている。例えば、特許文献１には長柄ハンドル型の清掃具が開示されている。
図１３は長柄ハンドル型の清掃具を示す。図１３の（１３Ａ）及び（１３Ｂ）は夫々、パイル製払拭体４０、同図（１３Ｂ）はパイル製払拭体４０を固定し保持する長柄保持具４１を示す。
【０００３】
払拭体４０は、楕円状の基布４２と、基布４２の下面に植設された多数のパイル４４からなる。基布４２は綿繊維や合成繊維を網目状に織成して構成され、基布４２の上面には同繊維種からなる袋状差込部４３、４３が設けられている。
【０００４】
長柄保持具４１は、基布４２に装着される装着部４５と、手動操作するためのパイプ状の柄４７とからなり、柄４７の先端側にはグリップ４８が設けられている。柄４７の先端はジョイント部４６を介して装着部４５に枢支されている。装着部４５はジョイント部４６を突設した略楕円状の長円板からなる。装着部４５の両端部を袋状差込部４３、４３に挿入することにより、払拭体４０が長柄保持具４１に装着され、長柄ハンドル型の清掃具を構成する。殊に、払拭体を定期的に取り替えてメーカーなどからユーザーにレンタルする場合には、払拭体４０をハンドルから分離可能にしておく必要があるが、係る構成の掃除具においては、払拭体４０の取替えや洗浄時の作業を簡便にするために払拭体４０をハンドル先端の装着部４５に対し挿脱自在にしている。
【先行技術文献】
【特許文献】
【０００５】
【特許文献１】特開２００５−２７０６３０号公報
【特許文献２】特開平１０−３２８１０８号公報
【特許文献３】特開２００２−６５５４５号公報
【発明の概要】
【発明が解決しようとする課題】
【０００６】
上記従来の掃除具において払拭体４０を装着部４５に装着した状態では、大半のパイル４４は装着部４５の裏側に位置する。しかも、ジョイント部４６を介して柄４７の先端は装着部４５に対して固定、保持され、装着部４５の長軸の回りに動かせる自由度を持たない。
しかしながら、この従来の掃除具においては、柄４７を装着部４５の長手方向に傾けたりすることはできるものの、装着部４５の長軸の回りに回動することができないため、清掃作業者は、パイル４４の払拭面が床面等に当たるように、常時、柄４７を動かす力に気を配って清掃作業を行う必要があり、円滑な清掃作業を妨げるといった問題があった。
【０００７】
図１４は家具等の什器などの隙間５１を上記掃除具で掃除するとき、床面４９に対して柄４７を寝かして清掃する状態を示す。図１５の（１５Ａ）は寝かせ角度θで柄４７を傾けた掃除具の側面を示す。
該隙間の清掃に際しては床面４９に対する寝かせ角度θを４５°以下にする場合が多い。このような寝かせ状態で隙間５１の隅々を清掃するには、柄４７を把持して矢印５０に示すように床面４９上をなぞるように回転させながら動かしていく必要がある。ジョイント部４６に鉛直に柄４７を立てるときは鉛直軸の回りに柄４７を回せば、それに追随して払拭体４０も回転していく。しかしながら、袋状差込部４３、４３に装着部４５を密着状態で挿着しているため、係る寝かせ状態では、図１５の（１５Ｂ）に示すように、矢印５０の向きに柄４７を持って回動しても、払拭体４０と装着部４５が一体的に動いてしまい、回動方向前方側の床面部分で払拭体４０の動きが止まり、（１５Ｂ）の破線で示すように、床面との摩擦抵抗力を受けて回動開始側の床面部分で払拭体４０が浮き上って宙に浮き、円滑な回転操作を行うことができなかった。
【０００８】
また、上記従来の掃除具の場合には、払拭体４０への装着部４５の装着状態で払拭体４０に対してＴ字形に柄４７を配置し、柄４７を前後左右に回動自在にするために装着部４５上にジョイント部４６を形成している。しかしながら、ジョイント部４６を装着部４５上に形成しているために、回動連結点が装着部４５上方に位置することなり、柄４７を持って力を加えても、装着部４５上を上滑りして前記回転操作を円滑に行うための力を装着部４５に十分に与えにくいといった問題があった。
【０００９】
特許文献２には、ローラ状に形成した清掃用モップのモップ軸を回動自在に支持した掃除具が開示されている。この清掃用モップにおいては、ワイヤをＵ字状に折り曲げた部分及びワイヤの各端部の夫々に組紐を嵌合させた後、Ｕ字状の内方に一定長さに切断された合成繊維束（清掃用糸条）を跨がせた状態でワイヤを撚り、ワイヤの先端部を内方に折り曲げて端部が組紐で覆われたモップ軸とし、該合成繊維束がこのモップ軸を中心として放射状に広がって形成されている。しかしながら、この清掃具では、ころがり摩擦を利用したローラ回転方式により清掃用モップを床平面に回転操作可能となるものの、モップ軸と一体に合成繊維束をローラ形態様に形成しているため、ワイヤ材料費やワイヤ撚り等の加工費を要するうえ、使用後には清掃用モップをモップ軸材ごと取り替える必要があり、合成繊維束だけ回収して再利用するといったレンタル製品に適用することができない。
【００１０】
特許文献３には、モップ体の筒状基部に棒状ヘッド本体を套挿して装着したヘッドを形成し、次いで、このヘッドをヘッドホルダの一筒側部を縦に切り欠いた筒状クランプ本体の切り欠き部に押しつけて、その弾性により該切り欠き部を一旦広げて、ヘッド中央部を抱持させて組み立てられた清掃具が開示されている。この清掃具においては、ヘッド芯材としての棒状ヘッド本体に筒状基部を被せた状態で、ヘッドホルダである筒状クランプ本体の切り欠き部を把持させているので、回動連結点がヘッドの中心軸に近接させて、ヘッド操作に要する力をヘッドに与えやすくなっている。しかし、モップ体の筒状基部に棒状ヘッド本体を套挿するため、ヘッド芯材としての棒状ヘッド本体がモップ体と一体化して動いてしまい、床面との摩擦抵抗により、図１３の場合と同様に、床面の回転清掃の際に、ヘッドの一端が床面から浮き上がり円滑な回転操作を行うことができない。
【００１１】
本発明は、上記問題に鑑みてなされたものであって、ハンドルを把持して什器等の狭い空間の清掃を行う際して清掃面上を払拭体を楽に回転操作可能にして簡易且つ軽快に清掃作業を行うことができる清掃具を提供することを目的としている。
【課題を解決するための手段】
【００１２】
本発明は、上記課題を解決するために提案されたものであって、本発明の第１の形態は、ハンドルの根元部に連結される連結部と、前記連結部から延出させた挿着軸体とからなり、前記挿着軸体を払拭体の袋部に挿着して収設した清掃具であって、前記ハンドルを回動自在に保持する回動軸部を前記連結部に設け、前記挿着軸体を前記袋部内で前記連結部に対して前記延出方向の軸回りに自転可能に枢支した清掃具である。
【００１３】
本発明の第２の形態は、第１の形態において、前記袋部内部に当接する突部を前記挿着軸体の外側面に形成した清掃具である。
【００１４】
本発明の第３の形態は、第１又は第２の形態において、前記挿着軸体は、前記連結部の前記延出方向の両端側に連結された一対の回転軸体と、夫々の前記回転軸体に外嵌された一対の中空体とからなり、夫々の前記中空体を独立して自転可能に各回転軸体に枢支し、各回転軸体を前記連結部に対して左右対称状に配置して前記一対の回転軸体を前記ハンドルに対してＴ字形又は略Ｔ字形に設けた清掃具である。
【００１５】
本発明の第４の形態は、第３の形態において、夫々の前記回転軸体の一端を前記連結部に固着した清掃具である。
【００１６】
本発明の第５の形態は、第４の形態において、夫々の前記回転軸体が折曲自在に前記連結部に連結され、前記払拭体の前記袋部に挿着するときに前記一対の回転軸体を前記Ｔ字形又は略Ｔ字形に固定して剛性保持する保持機構と、前記袋部が脱離する方向に各回転軸体を折曲させて前記保持状態を解除する解除機構とを備えた清掃具である。
【００１７】
本発明の第６の形態は、第１又は第２の形態において、前記挿着軸体は、前記連結部に一端が連結された軸心体と、前記軸心体に外嵌されて枢支された筒体とからなり、前記軸心体を前記ハンドルに対してＬ字形又は略Ｌ字形に設けた清掃具である。
【００１８】
本発明の第７の形態は、第６の形態において、前記軸心体の前記一端を前記連結部に固着した清掃具である。
【００１９】
本発明の第８の形態は、第７の形態において、前記軸心体を折曲自在に前記連結部に連結され、前記払拭体の前記袋部に挿着するときに前記軸心体を前記Ｌ字形又は略Ｌ字形に固定して剛性保持する保持機構と、前記袋部が脱離する方向に前記軸心体を折曲させて前記保持状態を解除する解除機構とを備えた清掃具である。
【００２０】
本発明の第９の形態は、第１〜第８のいずれかの形態において、前記袋部の全周囲に払拭材を多数設けた清掃具である。
【００２１】
本発明の第１０の形態は、第１〜第９のいずれかの形態において、前記払拭材がパイルからなる清掃具である。
【発明の効果】
【００２２】
本発明の第１の形態によれば、前記ハンドルを回動自在に保持する回動軸部を前記連結部に設け、前記挿着軸体を記袋部内部で前記連結部に対して前記延出方向の軸回りに自転可能に枢支したので、前記ハンドルを把持して什器等の狭い空間の清掃を行う際して、前記ハンドルを前記払拭体に対して鋭角に傾けて清掃面上を回転させるときに、前記ハンドルの動きに追随して、前記挿着軸体が前記袋部内部で自転しながら円弧を描くように円滑に回転操作することができ、簡易且つ軽快に清掃作業を行うことができる。しかも、前記ハンドルは前記連結部を介して前記挿着軸体と一体化されるため、前記挿着軸体の軸心回りに、つまり前後方向に傾動操作可能となり、更に、前記回動軸部により、前後方向と交差する左右方向に回動自在となるので、前記連結部と、前記連結部から延出させた払拭体挿入部としての前記挿着軸体とによって、前記ハンドルを把持して前後左右の方向に清掃操作を行える操作性に優れた清掃具を提供することができる。本発明に係る前記挿着軸体には、軽量化の点で中空体が好ましいが、中実体も使用することができ、また、軸体の断面形状も前記袋部内での自転を妨げないものであれば、円形に限らず、楕円形や多角形状のものを使用することができる。更に、本発明は長柄ハンドル型清掃具に限らず、ハンディタイプ等の短尺ハンドル型清掃具にも適用することができる。
【００２３】
例えば、レンタル製品の場合には繰り返しの洗浄等によって前記袋部内部が伸びたりして、前記挿着軸体の挿着状態に緩みが生じて、前記回転清掃の際に前記挿着軸体が前後の動いて回動しにくくなるおそれも生ずる。そこで、本発明の第２の形態によれば、前記袋部内部に当接する突部を前記挿着軸体の外側面に形成したので、清掃面上での回転清掃の際に、前記ハンドルの動きに追随して前記突部が前記袋部内部に当接しながら、前記挿着軸体が前記袋部内部で自転しながら円弧を描くように回転操作することができ、簡易且つ軽快に清掃作業を行うことができる。
【００２４】
本発明の第３の形態によれば、前記挿着軸体は、前記連結部の前記延出方向の両端側に連結された一対の回転軸体と、夫々の前記回転軸体に外嵌された一対の中空体とからなり、夫々の前記中空体を独立して自転可能に各回転軸体に枢支し、各回転軸体を前記連結部に対して左右対称状に配置して前記一対の回転軸体を前記ハンドルに対してＴ字形又は略Ｔ字形に設けたので、前記ハンドルを把持して什器等の狭い空間の清掃を行う際して、前記ハンドルを前記払拭体に対して鋭角に傾けて清掃面上を回転させるときに、前記ハンドルの動きに追随して、夫々の前記中空体が前記回転軸体による枢支によって前記袋部内部で自転しながら円弧を描くように回転操作することができ、簡易且つ軽快に清掃作業を行えるＴ字形又は略Ｔ字形清掃具を提供することができる。しかも、Ｔ字形又は略Ｔ字形清掃具において、払拭体挿入部としての前記挿着軸体を、前記一対の回転軸体と、夫々の前記回転軸体に外嵌された一対の前記中空体とから構成されるので、簡単且つ安価な構造により払拭体挿入部を回動自在にすると共に、ハンドルの回動機構を一体的に設けて傾動可能にすることができる。
【００２５】
本発明の第４の形態によれば、夫々の前記回転軸体の一端を前記連結部に固着することにより、前記回転軸体に外嵌された前記中空体が前記回転軸体の外周に沿って摺接させる枢支構造を簡単に構成することができるので、円滑な前記回転操作が可能なＴ字形又は略Ｔ字形清掃具の低価格化を実現することができる。
【００２６】
本発明の第５の形態によれば、夫々の前記回転軸体が折曲自在に前記連結部に連結され、前記払拭体の前記袋部に挿着するときに前記一対の回転軸体を前記Ｔ字形又は略Ｔ字形に固定して剛性保持する保持機構と、前記袋部が脱離する方向に各回転軸体を折曲させて前記保持状態を解除する解除機構とを備えるので、前記保持機構により、前記回転軸体の前記保持状態において、前記一対の回転軸体を前記Ｔ字形又は略Ｔ字形に固定して剛性保持して、前記ハンドルの動きに追随して、夫々の前記中空体の前記袋部内部での自転作用を円滑に行わせて前記回転操作可能とし、使用後等においては前記解除機構により前記保持状態を解除して前記袋部が脱離する方向に前記回転軸体を折曲させて、前記払拭体を直に掴んで外さなくとも簡便に離脱させることができ、簡易且つ軽快に清掃作業を行え、しかも前記袋部にワンタッチで払拭体挿入部を挿脱することができるＴ字形又は略Ｔ字形清掃具を提供することができる。
【００２７】
本発明は、Ｔ字形又は略Ｔ字形清掃具に限らず、前記ハンドルの根元部に対して前記挿着軸体がＬ字形又は略Ｌ字形に連結される掃除具に適用することができる。即ち、本発明の第６の形態によれば、前記挿着軸体は、前記連結部に一端が連結された軸心体と、前記軸心体に外嵌されて枢支された筒体とからなり、前記軸心体を前記ハンドルに対してＬ字形又は略Ｌ字形に設けたので、前記ハンドルを把持して什器等の狭い空間の清掃を行う際して、前記ハンドルを前記払拭体に対して鋭角に傾けて清掃面上を回転させるときに、前記ハンドルの動きに追随して、前記筒体が前記軸心体による枢支によって前記袋部内部で自転しながら円弧を描くように回転操作することができ、簡易且つ軽快に清掃作業を行えるＬ字形又は略Ｌ字形清掃具を提供することができる。しかも、Ｌ字形又は略Ｌ字形清掃具において、払拭体挿入部としての前記挿着軸体を、前記軸心体と、前記軸心体に外嵌された前記筒体とから構成されるので、簡単且つ安価な構造により払拭体挿入部を回動自在にすると共に、ハンドルの回動機構を一体的に設けて傾動可能にすることができる。
【００２８】
本発明の第７の形態によれば、前記軸心体の前記一端を前記連結部に固着することにより、前記軸心体に外嵌された前記筒体が前記軸心体の外周に沿って摺接させる枢支構造を簡単に構成することができるので、円滑な前記回転操作が可能なＬ字形又は略Ｌ字形清掃具の低価格化を実現することができる。
【００２９】
本発明の第８の形態によれば、前記軸心体を折曲自在に前記連結部に連結され、前記払拭体の前記袋部に挿着するときに前記軸心体を前記Ｌ字形又は略Ｌ字形に固定して剛性保持する保持機構と、前記袋部が脱離する方向に前記軸心体を折曲させて前記保持状態を解除する解除機構とを備えるので、前記保持機構により、前記軸心体の前記保持状態において、前記軸心体を前記Ｌ字形又は略Ｌ字形に固定して剛性保持して、前記ハンドルの動きに追随して、前記筒体の前記袋部内部での自転作用を円滑に行わせて前記回転操作可能とし、使用後等においては前記解除機構により前記保持状態を解除して前記袋部が脱離する方向に前記軸心体を折曲させて、前記払拭体を直に掴んで外さなくとも簡便に離脱させることができ、簡易且つ軽快に清掃作業を行え、しかも前記袋部にワンタッチで払拭体挿入部を挿脱することができるＬ字形又は略Ｌ字形清掃具を提供することができる。
【００３０】
本発明の第９の形態によれば、前記袋部の全周囲に払拭材を多数設けた払拭体を挿着して、前記払拭体の中心軸回り約３６０°に自由に動かして、清掃方向に制約されずに円滑に清掃作業を行える清掃具を実現することができる。
本発明の払拭体には、例えば、織布又は不織布の基布に、縫製加工や溶着加工等により中心軸回りに全周にわたり払拭材を植設した払拭体を使用することができる。本発明における払拭材には、ナイロン、綿、ポリエステル等の素材を使用することができる。
【００３１】
本発明の第１０の形態によれば、パイルの払拭材を使用して、床面等の清掃面を隅々まで疲労せずに円滑に清掃することができる清掃具を提供することができる。
【図面の簡単な説明】
【００３２】
【図１】本発明に係る清掃具の外観斜視図である。
【図２】前記清掃具を床面Ｆ上に鉛直に立てた状態を示す正面図である。
【図３】前記清掃具の長柄ハンドル２全体組み立て状態図及び前記清掃具における払拭体１の挿着を説明するための図である。
【図４】前記清掃具の挿着軸体を長柄ハンドル２に対してＴ字形に開脚保持した保持状態を示す外観斜視図である。
【図５】前記保持状態の正面図及び背面図である。
【図６】前記保持状態の上面図、下面図及び側面図である。
【図７】前記清掃具の挿着軸体を閉じた閉脚状態を示す正面図である。
【図８】連結部材２０の保持機構及び解除機構を示す横断面図及び挿着軸体の中空体１２、１３の正面図である。
【図９】前記清掃具の払拭体１の縦断面構造を模式的に示す図である。
【図１０】払拭体１の概略側面図及び上面図である。
【図１１】長柄ハンドル２の伸縮調整機構及びグリップ５の取着構造を示す断面構成図である。
【図１２】前記清掃具の回転操作機能の計測結果を示す表である。
【図１３】従来の清掃具を示す外観図である。
【図１４】従来の清掃具を寝かして清掃する状態を示す概略側面図である。
【図１５】従来の清掃具における回転操作の困難性を説明するための図である。
【発明を実施するための形態】
【００３３】
以下、本発明に係る清掃具の実施の形態を図面を参照して詳細に説明する。
図１は本実施形態に係る長柄ハンドル型清掃具の全体を示す。図２は図１の清掃具を床面Ｆ上に鉛直に立てた状態を示す。
この清掃具は払拭体１、清掃作業時に把持する伸縮自在型長柄ハンドル２及び挿着軸体からなる。長柄ハンドル２は内径の異なる１組の長尺状の樹脂製パイプ部材からなる内パイプ３と外パイプ４からなる。内パイプ３と外パイプ４の間には、後述する伸縮調整機構のカバー部材６が配置されている。外パイプ４の開放端側にはグリップ５が取着されている。内パイプ３の下端は連結部材２１のパイプ部分２１ａに嵌着されている。連結部材２１は、挿着軸体が取着される連結部材２０の中央上部に設けた回動軸受９を介して、矢印Ａに示すように、挿着軸体の軸心に沿って左右に回動自在に連結されている。
【００３４】
図３の（３Ａ）は長柄ハンドル２の全体組み立て状態を示す。図３の（３Ｂ）は本実施形態に係る長柄ハンドル型清掃具において払拭体１の挿着を説明するための図である。
図４は挿着軸体を長柄ハンドル２に対してＴ字形に開脚保持した保持状態を示す。図５の（５Ａ）及び（５Ｂ）は夫々、前記保持状態の正面、背面を示す。図６の（６Ａ）、（６Ｂ）及び（６Ｃ）は夫々、前記保持状態の上面、下面、側面を示す。図７は挿着軸体を長柄ハンドル２の軸方向に閉じた閉脚状態を示す。
【００３５】
挿着軸体は、連結部材２０の両端に対して横方向に延出された一対の回転軸体１０、１１と、回転軸体１０、１１夫々に外嵌された一対の中空体１２、１３とからなる。各中空体１２、１３は独立して自転可能に各回転軸体１０、１１に枢支されている。各回転軸体１０、１１は連結部材２０に対して左右対称状に配置されている。
【００３６】
各回転軸体１０、１１の連結端１４、１５は、回転軸体の軸心に直交する回動軸１９により折曲自在に連結部材２０に連結されている。連結部材２０には、挿着軸体の払拭体１への挿着時に一対の回転軸体１０、１１をＴ字形に固定して剛性保持する保持機構と、払拭体１を脱離させる方向に各回転軸体１０、１１を折曲させて前記保持状態を解除する解除機構が内蔵されている。
【００３７】
図８の（８Ａ）及び（８Ｂ）は連結部材２０の保持機構及び解除機構を示す。
回転軸体１０、１１には軽量化のために中空部１０ａ、１１ａが内設されており、夫々の連結端１４、１５には貫通穴１０ｂ、１１ｂ及び係合部１０ｃ、１１ｃが形成されている。連結部材２０の両端側には縦溝２０ｃが形成されている。連結部材２０の端部には貫通穴が形成され、各貫通穴を通じて回動軸１９が貫通穴１０ｂ、１１ｂに挿着されて回動軸受部が形成され、各回転軸体１０、１１の折曲機構を構成している。連結部材２０の中央にはロックボタン１８が収設されている。ロックボタン１８の頭部は連結部材２０の中央の凹部２０ｂより露出している。ロックボタン１８の下方には係合脚部１８ａが形成され、内部にコイルバネ２２が配置されており、コイルバネ２２の押圧力を受けて該頭部が凹部２０ｂに露出する向きに付勢されている。
【００３８】
図８の（８Ａ）及び（８Ｂ）は夫々、ロック解除状態、ロック状態を示す。図４〜図６に示すように、回転軸体１０、１１を水平に開いて、連結部材２０の軸心方向に回転軸体１０、１１を配置したとき、ロックボタン１８の係合脚部１８ａがコイルバネ２２の押圧力を受けて凹部２０ｂ側に上昇して、係合部１０ｃ、１１ｃと係合する（（８Ｂ）参照）。この係合ロックにより、回転軸体１０、１１を水平に開いた、図４等に示したＴ字形の保持状態を維持することができる。この保持状態で払拭体１を挿着軸体に挿着することにより図１の掃除具の使用状態が完成する。
【００３９】
払拭体１を外すときには、長柄ハンドル２を鉛直方向に支えた状態で、ロックボタン１８の頭部をコイルバネ２２の押圧力に抗して押し込むと、ロックボタン１８の係合脚部１８ａと係合部１０ｃ、１１ｃとの係合が解除され（（８Ａ）参照）、図７に示すように、回転軸体１０、１１は自重により垂れ下がって、長柄ハンドル２の軸方向に沿って平行に回転軸体１０、１１が並置されるロック解除状態になる。図３の（３Ｂ）に示すように、上記のロック解除状態で払拭体１の後述の袋部２３に回転軸体１０、１１を差し込んで、図２のように回転軸体１０、１１を左右に水平に拡げる操作だけで簡単に挿着することができる。上記のように、連結部材２０の保持機構及び解除機構を用いて、払拭体１の挿脱作業をワンタッチで行うことができる。
【００４０】
一対の中空体１２、１３は、夫々、回転軸体１０、１１外周に形成された縮径部１０ｄ、１１ｄに自転可能に外嵌されている。中空体１２、１３の断面は、図８の（８Ｃ）に示すように円形である。中空体１２、１３及び回転軸体１０、１１は真円形でなくとも、楕円形や多角形状のものを使用することができる。縮径部１０ｄ、１１ｄは中空体１２、１３の長さに対応して、回転軸体１０、１１外周に段差状に形成されている。従って、本実施形態における挿着軸体は、払拭体１の挿着状態において、連結部材２０に対して水平に延出され、直線上に広げた回転軸体１０、１１の軸回りに、払拭体１の袋部２３内で自転可能に枢支されている。
【００４１】
図９は払拭体１の縦断面構造を模式的に示す。払拭体１は、片面側に多数のパイル（払拭材）群２４が植設された一組の長手形状の基布２５、２６からなる。払拭体１の中央には開口部２７が形成され、内部には袋状の袋部２３が形成されている。袋部２３は、基布２５、２６の基布面のうちパイル群２４が植設されていない面を対面させて重ね合わせ、基布の周縁部を、その一部を開口して縫着して形成されている。図９の縦断面においては、開口部２７の下端側の周縁部３１を横糸２９で縫着した状態が示されている。袋部２３は、回転軸体１０、１１及び中空体１２、１３からなる挿着軸体を開口部２７から挿着可能にしたＴ字形状を有し、袋部２３の全外周にわたりパイル３０が植設されている。基布の素材には、パイル群を保持する強度を必要とし、厚手のキャンバス布、木綿や合成化学繊維の帆布等の布材等を使用するのが好ましい。本実施形態では、パイル材及び基布材として無色のナイロン素材を使用している。
【００４２】
図１０は払拭体１の概略側面及び上面を示す。
各基布２５、２６の長手方向の一辺側中央部３２の一部が切り欠いて切除されており、図１０の（１０Ａ）に示すように、切除端は縁縫い３３が施されて布端が解れないようにしている。袋部２３の形成により、中央部３２は挿着軸体の導入口、つまり開口部２７となる。
同図（１０Ｂ）は（１０Ａ）のＢ−Ｂ断面を模式的に示す。同図（１０Ｂ）に示すように、各基布の端部３４、３５と３６、３７は、縫糸３８により結着されて、裏返されて袋部２３の内側に取り込まれている。袋部２３の開口部２７に隣接した各基布の周縁部３９は横糸３９ａで縫着され、開口部２７と対向した各基布の周縁部３９ｂは横糸４２で縫着されている。従って、袋部２３には開口部２７のみが開口され、その全外周にわたりパイル３０が植設された状態になっている。なお、図１０の（１０Ｂ）においてはパイル群２４の一断面を模式的に示し、パイル間に隙間があるようにみえるが、各パイルが大きな間隙もなく密集状に植設され、互いに絡み合っている。
【００４３】
図１１の（１１Ａ）は長柄ハンドル２の伸縮調整機構を示す。内パイプ３と外パイプ４の接合部において、内パイプ３の開口部にパイプボタン８の頭部が露出している。パイプボタン８は、樹脂弾性片からなり、該頭部と、それに一体化された中空押圧変形部８ａと、該接合部に密着する係止部８ｅとからなる。中空押圧変形部８ａには上下にバネ係止用突起８ｂ、８ｃが形成されている。バネ係止用突起８ｂ、８ｃの間にはコイルバネ８ｃが取り付けられている。外パイプ４の端部に設けた穴にパイプ抜止片６ｃが嵌入されて、その上からカバー部材６が外嵌され、外パイプ４が抜けないようにしている。カバー部材６は内パイプ３の開口部に対応して形成した穴６ｂにカバー抜止片６ａが嵌着されて、外パイプ４に取着されている。
【００４４】
上記伸縮調整機構において、コイルバネ８ｃの押圧力により、パイプボタン８の頭部が該開口部に嵌り込み、内パイプ３と外パイプ４との接合状態が保持される。長さを調整する際には、パイプボタン８の頭部を内側に押し込むことにより、コイルバネ８ｃの押圧力が解除されて、外パイプ４をカバー部材６と共に内パイプ３に沿って摺動させることができ、所望の長さ位置でパイプボタン８の頭部を露出させることによりその位置での長さをセットすることができる。
【００４５】
図１１の（１１Ｂ）はグリップ５の取着構造を示す。外パイプ４の上端側に設けた穴４ａにグリップ５下端側の開口部よりカバー兼用のグリップ抜止片７を嵌着することにより、グリップ５を外パイプ４の上端に取着している。
【００４６】
上記構成の掃除具において、挿着軸体は、連結部材２０の両端側で横方向に連結された一対の回転軸体１０、１１と、夫々の回転軸体１０、１１に外嵌された一対の中空体１２、１３とからなり、これらの２重構成により、中空体１２、１３を夫々独立して自転可能に各回転軸体１０、１１に枢支し、各回転軸体１０、１１を連結部材２０に対して左右対称状に配置し、長柄ハンドル２に対してＴ字形又は略Ｔ字形に設けている。従って、長柄ハンドル２を把持して什器等の狭い空間の清掃を行う際して、長柄ハンドル２を払拭体１に対して鋭角に傾けて清掃面上を回転させるときに、長柄ハンドル２の動きに追随して、夫々の中空体１２、１３が回転軸体１０、１１による枢支機構によって袋部２３内部で自転しながら円弧を描くように回転操作することができるので、簡易且つ軽快に清掃作業を行うことができる。しかも、連結部材２０を介して各回転軸体１０、１１を水平配置して、袋部２３への挿着されているので、長柄ハンドル２の回動連結点が各回転軸体１０、１１の水平軸に極めて接近して位置しており、長柄ハンドル２により加える力が的確に挿着軸体に与えることができ、前記枢支機構の自転機能と相乗して前記回転操作をより円滑に行うことができる。
更に、Ｔ字形又は略Ｔ字形清掃具において、払拭体挿入部としての前記挿着軸体を、一対の回転軸体１０、１１と、夫々の回転軸体１０、１１に外嵌された一対の中空体１２、１３とから構成されるので、簡単且つ安価な構造により払拭体挿入部を回動自在にすると共に、ハンドルの回動機構を一体的に設けて傾動可能にすることができる。
【００４７】
図１２は本実施形態に係る清掃具の回転操作機能の計測結果を示す。この計測に際しては、図１３の従来との比較を行った。即ち、本実施形態に係る掃除具と図１３の掃除具を用いて、床面に対してハンドルを寝かして清掃を試み、清掃有効面積を比較した。清掃有効面積１００％は、清掃具を該回転操作して床全面を斑なく清掃可能になったことを表す。図１２において「ヘッド」と表記しているのは、払拭体及び払拭体挿入部を意味し、「スリーブ」は中空体１２、１３を意味する。また、床面に対するハンドルの寝かせ角度を３０°、４５°及び６０°で試行した。
【００４８】
図１４で説明した従来のヘッド固定の場合には、寝かせ角度が６０°のときには、回転操作ができるものの、寝かせ角度が３０°あるいは４５°により傾斜させると、「ヘッド」が浮き上って清掃有効面積が６５〜９０％に減少した（図１２の（１）参照）。一方、本実施形態に係る清掃具では、寝かせ角度を３０°、４５°及び６０°のいずれにおいても円滑な回転操作が可能となり、清掃有効面積を１００％に維持できた。このときの中空体１２、１３自体の回転角度も、寝かせ角度を６０°、４５°及び３０°に急傾斜するにつれより大きくなり、中空体１２、１３の自転作用が円滑な回転操作に寄与していることがわかる（図１２の（２）参照）。
なお、中空体１２、１３の断面形状を図８の（８Ｄ）に示すように、袋部２３内部に当接する突部(リブ)１２ｂを中空体１２ａの外側面に形成したものを使用して、同様の回転操作性を検証した。６個の突部１２ｂは中空体１２ａの外周に沿って形成されている。この検証実験によれば、図１２の（３）に示すように、清掃有効面積について、リブなしの中空体１２、１３と同様の良好な結果を得ることができた。従って、リブ付きの中空体１２ａを用いれば、例えば、レンタル製品の場合には繰り返しの洗浄等によって袋部２３内部が伸びたりして、挿着軸体の挿着状態に緩みが生じている場合でも、ハンドルの動きに追随して突部(リブ)１２ｂが袋部２３内部に当接しながら袋部２３内部で自転して円弧を描くように回転操作させることができる。リブには突部１２ｂのように互いに離間したものの他に、スパイラル状に中空体１２ａの外側面に形成したもの等を使用することができる。
【００４９】
本実施形態の清掃具は長尺状の清掃具の場合であるが、本発明は、短尺状の清掃具やハンディタイプの清掃具に適用することができ、また払拭材としては、パイルの他に、化学繊維材等を使用することができる。
【００５０】
本発明は、上記実施形態や変形例に限定されるものではなく、本発明の技術的思想を逸脱しない範囲における種々変形例、設計変更などをその技術的範囲内に包含するものであることは云うまでもない。
【産業上の利用可能性】
【００５１】
この発明に係る清掃具は、家庭や事務所や工場の床材、及び店舗の床などを清掃するときに用いられ、払拭体を定期的に取り替えてメーカーなどからユーザーにレンタルするようにしてもよいものである。
【符号の説明】
【００５２】
１      払拭体
２      長柄ハンドル
３      内パイプ
４      外パイプ
４ａ    穴
５      グリップ
６      カバー部材
６ａ    カバー抜止片
６ｂ    穴
６ｃ    パイプ抜止片
７      グリップ抜止片
８      パイプボタン
８ａ    中空押圧変形部
８ｂ    バネ係止用突起
８ｃ    コイルバネ
８ｄ    バネ係止用突起
８ｅ    係止部
９      回動軸受
１０    回転軸体
１０ａ  中空部
１０ｂ  貫通穴
１０ｃ  係合部
１０ｄ  縮径部
１１    回転軸体
１１ａ  中空部
１１ｂ  貫通穴
１１ｃ  係合部
１１ｄ  縮径部
１２    中空体
１２ａ  中空体
１２ｂ  突部
１３    中空体
１４    連結端
１５    連結端
１８    ロックボタン
１９    回動軸
２０    連結部材
２０ｂ  凹部
２０ｃ  縦溝
２１    連結部材
２１ａ  パイプ部分
２２    コイルバネ
２３    袋部
２４    パイル群
２５    基布
２６    基布
２７    開口部
２９    横糸
３０    パイル
３１    周縁部
３２    中央部
３３    縁縫い
３４    端部
３５    端部
３６    端部
３７    端部
３８    縫糸
３９    周縁部
３９ａ  横糸
３９ｂ  周縁部
４０    払拭体
４１    長柄保持具
４２    基布
４３    袋状差込部
４４    パイル
４５    装着部
４６    ジョイント部
４７    柄
４８    グリップ
４９    床面
５０    矢印
５１    隙間
【図１】
0005552372.tif 000002
【図２】
0005552372.tif 000003
【図３】
0005552372.tif 000004
【図４】
0005552372.tif 000005
【図５】
0005552372.tif 000006
【図６】
0005552372.tif 000007
【図７】
0005552372.tif 000008
【図８】
0005552372.tif 000009
【図９】
0005552372.tif 000010
【図１０】
0005552372.tif 000011
【図１１】
0005552372.tif 000012
【図１２】
0005552372.tif 000013
【図１３】
0005552372.tif 000014
【図１４】
0005552372.tif 000015
【図１５】
0005552372.tif 000016